(57)【要約】【課題】入金処理、出金処理の進行状況を顧客側からでも確認可能とし、入金紙幣の一時保留を迅速にし、入金非承認時の一時保留紙幣の返却を迅速かつ容易した循環式紙幣入出金機１１を提供する。【解決手段】機体１４の上面に紙幣入金口部２３および紙幣出金口部２２をそれぞれ配置し、入金処理または出金処理の進行状況を顧客側でも確認可能とする。機体１４の前側域に入金紙幣一時保留部３５を配置し、入金紙幣一時保留部３５に入金紙幣を一括して一時保留し、入金紙幣の一時保留を迅速にする。入金非承認時には入金紙幣一時保留部３５の前面扉３６を開き、一時保留紙幣を機体１４の前面側から一括して取り出し、一時保留紙幣の返却を迅速かつ容易にする。【選択図】　　　　図１
2004145600.tif 000002
【特許請求の範囲】
【請求項１】
入金紙幣を出金紙幣に使用する循環式紙幣入出金機において、
機体の上面に紙幣を出金する紙幣出金口部および紙幣を入金する紙幣入金口部がそれぞれ配置され、
前記機体の上面における前記紙幣出金口部および紙幣入金口部の設置域の左右両側域に左右いずれの側で処理を占有するかを指示する占有指示部がそれぞれ配置され、
前記機体の前側域に入金紙幣を一括して一時保留する入金紙幣一時保留部が配置され、この入金紙幣一時保留部の前面に入金非承認時の一時保留紙幣を機体の前面側から一括取出可能とする前面扉が開閉可能に配置されている
ことを特徴とする循環式紙幣入出金機。
【請求項２】
入金紙幣を出金紙幣に使用する循環式紙幣入出金機において、
機体に上部ユニットおよび下部ユニットがそれぞれ機体の前面から引出可能に設けられ、
前記上部ユニットには、前記機体の上面前側にその前側から順に紙幣を出金する紙幣出金口部および紙幣を入金する紙幣入金口部がそれぞれ配置され、機体の上面前側における紙幣出金口部および紙幣入金口部の設置域の左右両側域に左右いずれで処理を占有するかを指示する占有指示部がそれぞれ配置され、機体の前側域に入金紙幣を一括して一時保留する入金紙幣一時保留部が配置され、この入金紙幣一時保留部に入金紙幣を１枚ずつ繰り込むとともに入金承認時に一時保留紙幣を１枚ずつ繰り出す繰込繰出手段が配置され、入金紙幣一時保留部の前面には入金非承認時に一時保留紙幣を機体の前面側から一括取出可能とする前面扉が開閉可能に配置され、これら紙幣出金口部、紙幣入金口部および入金紙幣一時保留部を接続して紙幣を搬送する上部ユニット側紙幣搬送部が配置され、この上部ユニット側紙幣搬送部に紙幣を識別する紙幣識別部が配置され、
前記下部ユニットには、前記機体の前側域にリジェクト紙幣を収納するリジェクトボックスが配置され、このリジェクトボックスの後部域に金種別に紙幣を収納する金種別紙幣収納部が前後方向に配置され、これら各金種別紙幣収納部毎に紙幣の受収および１枚ずつの繰り出しをする紙幣受収繰出部が配置され、これら紙幣受収繰出部を接続して紙幣を搬送する下部ユニット側紙幣搬送部が配置され、
前記機体および下部ユニットのいずれか一方には、機体に収納した下部ユニットを閉塞状態に覆う被覆部材、前記上部ユニット側紙幣搬送部と下部ユニット側紙幣搬送部とを接続する第１の接続通路部、および上部ユニット側紙幣搬送部とリジェクトボックスとを接続する第２の接続通路部がそれぞれ配置され、前記被覆部材に第１の接続通路部用および第２の接続通路部用の第１の開口部および第２の開口部が設けられている
ことを特徴とする循環式紙幣入出金機。
【請求項３】
被覆部材は、機体に固定され、下部ユニットの引出時には下部ユニット側紙幣搬送部、各金種毎の紙幣受収繰出部および各金種別紙幣収納部を開放可能とする
ことを特徴とする請求項２記載の循環式紙幣入出金機。
【請求項４】
上部ユニット側紙幣搬送部、下部ユニット側紙幣搬送部および第１の接続通路部は、紙幣の搬送方向を反転可能とする
ことを特徴とする請求項２または３記載の循環式紙幣入出金機。
【請求項５】
入金紙幣一時保留部は、この入金紙幣一時保留部に繰り込まれる紙幣の先端係止位置を紙幣の繰込方向幅の長短に応じて変更する複数の係止部材を有し、紙幣の後端を前記繰込方向幅の長短にかかわらず揃えて繰込繰出手段による繰出可能な一時保留位置に位置決めする
ことを特徴とする請求項１ないし４いずれか記載の循環式紙幣入出金機。
【請求項６】
紙幣入金口部内および紙幣出金口部内の紙幣は前側上方および後側上方の両方から視認可能とする
ことを特徴とする請求項１ないし５いずれか記載の循環式紙幣入出金機。
【請求項７】
紙幣入金口部および紙幣出金口部は紙幣を立位姿勢で収納し、
紙幣出金口部は、出金中に紙幣出金口部を閉じるとともに出金終了時に開く透明シャッタを有し、この透明シャッタを通じて紙幣出金口部内の紙幣を前側上方および後側上方の両方から視認可能とする
ことを特徴とする請求項１ないし６いずれか記載の循環式紙幣入出金機。
【発明の詳細な説明】
【０００１】
【発明の属する技術分野】
本発明は、入金紙幣を出金紙幣に使用する循環式紙幣入出金機に関する。
【０００２】
【従来の技術】
従来、例えば銀行などの金融機関のカウンターに配置されてこのカウンターの内側に居る２人のテラーが共用使用するのに好適な循環式紙幣入出金機、つまりこの循環式紙幣入出金機の左右の一方または両方にテラーが居てこの循環式紙幣入出金機を左右いずれの側からでも使用することが可能な循環式紙幣入出金機がある。
【０００３】
このような循環式紙幣入出金機では、機体の上部、中間および下部に上部ユニット、中間ユニットおよび下部ユニットがそれぞれ配置されている（例えば、特許文献１参照）。
【０００４】
上部ユニットには、紙幣入金口部、紙幣出金口部、これら紙幣入金口部および紙幣出金口部に接続されて紙幣を１枚ずつ搬送するとともに紙幣を識別する紙幣識別搬送通路部がそれぞれ設けられている。紙幣入金口部および紙幣出金口部は、テラーが繰作する機体の操作側である上部ユニットの前面側の上部位置に前方へ向けて配置されている。
【０００５】
下部ユニットには、機体の前後方向に配列された各金種別紙幣収納部、これら各金種別紙幣収納部毎にその下部に設けられる各紙幣繰出部、各紙幣繰出部から下方へ繰り出す紙幣を受収して前方へ搬送するとともに前側域において上方へ搬送する下部ユニット用搬送部がそれぞれ設けられている。この下部ユニットは機体の前方へ引出可能とされ、この引出時に各金種別紙幣収納部が開放される。
【０００６】
中間ユニットには、上部ユニットの紙幣識別搬送通路部に接続されて紙幣を機体の後方から前方へ向けて搬送するとともにこの搬送する紙幣を金種分類する分類部を有する分類通路部、この分類通路部の各分類部の下方に設けられる各金種別紙幣一時保留部がそれぞれ設けられている。
【０００７】
そして、入金処理時には、顧客から受け取った紙幣を紙幣入金口部に投入し、各金種別紙幣一時保留部に一時保留し、入金承認または入金非承認の確認をする。
【０００８】
入金承認時は、各金種別紙幣一時保留部の各底板を開き、紙幣を下部ユニットの各金種別紙幣収納部へその上部入口部から収納させる。
【０００９】
また、入金非承認時は、中間ユニットを機体の前面側へ最大限引き出して中間ユニット上の全ての各金種別紙幣一時保留部を露出させ、各金種別紙幣一時保留部から各金種毎の一時保留紙幣を順に抜き取り、一纏めにして顧客に返却することになる。
【００１０】
【特許文献１】
特開昭６１−１４１０９１号公報（第３頁ないし第５頁、第２図）
【００１１】
【発明が解決しようとする課題】
ところで、入金処理または出金処理を要求する顧客はカウンターの外側に立ち、すなわちカウンターに配置される循環式紙幣入出金機においてカウンターの内側に居るテラーが操作する操作側である前面側に対して反対側である後面側に立ち、テラーによる入金処理または出金処理の操作の終了を待つことになる。
【００１２】
そのため、従来の循環式紙幣入出金機では、テラーによる入金処理または出金処理の操作の終了を待つ顧客には自分が要求した入金処理または出金処理が進んでいるのかどうかが判らず、顧客に不安感を与えるという問題がある。
【００１３】
さらに、入金一時保留後、顧客が入金非承認をテラーに要求した場合、中間ユニットを前面側へ最大限引き出して中間ユニット上の全ての各金種別紙幣一時保留部を露出させ、各金種別紙幣一時保留部から各金種毎の一時保留紙幣を順に抜き取って一纏めにする動作が必要で、テラーにとって入金非承認の一時保留紙幣の返却に時間がかかり手間を要する問題がある。
【００１４】
特に、上述した顧客が要求した入金処理または出金処理が進んでいるのかどうかが判らず、顧客に不安感を与えるという問題のなかでも、入金処理時に入金紙幣を各金種別紙幣一時保留部へ金種別に分岐することから入金一時保留の終了までに時間がかかり、入金非承認時にも紙幣の返却に時間がかかり、これらの待ち時間の長さとも相まって、顧客の不安感をより増長することになる。
【００１５】
さらに、機体に対して上部ユニット、中間ユニットおよび下部ユニットに分けられ、三分割が不可欠な構造であり、構造が複雑であるという問題がある。特に、下部ユニットを全ての金種別紙幣収納部が露出するよう最大限引き出すことは仕方ないとしても、この下部ユニットと同様に、中間ユニットも最大限引き出すことが必要で、中間ユニットの引き出しに関して構造が複雑である。
【００１６】
また、従来の循環式紙幣入出金機では、中間ユニットの途中までの引出状態で金種別紙幣一時保留部の底板を手で開いて開口させ、下部ユニットの金種別紙幣収納部内に収納されている紙幣を抜き取るという問題、すなわち下部ユニットの金種別紙幣収納部の金庫機能の配慮がなされていない問題がある。
【００１７】
本発明は、このような点に鑑みなされたもので、入金処理または出金処理の進行状況を顧客側からでも確認可能とし、さらに、入金紙幣の一時保留を迅速にするとともに入金非承認時の一時保留紙幣の返却を迅速かつ容易にし、構造も簡単にできる循環式紙幣入出金機を提供することを第１の目的とし、さらに、第１の目的に加えて、金種別紙幣収納部を有する下部ユニットに金庫機能を持たせた循環式紙幣入出金機を提供することを第２の目的とする。
【００１８】
【課題を解決するための手段】
請求項１記載の循環式紙幣入出金機は、入金紙幣を出金紙幣に使用する循環式紙幣入出金機において、機体の上面に紙幣を出金する紙幣出金口部および紙幣を入金する紙幣入金口部がそれぞれ配置され、前記機体の上面における前記紙幣出金口部および紙幣入金口部の設置域の左右両側域に左右いずれの側で処理を占有するかを指示する占有指示部がそれぞれ配置され、前記機体の前側域に入金紙幣を一括して一時保留する入金紙幣一時保留部が配置され、この入金紙幣一時保留部の前面に入金非承認時の一時保留紙幣を機体の前面側から一括取出可能とする前面扉が開閉可能に配置されているものである。
【００１９】
そして、この構成では、機体の上面に紙幣入金口部および紙幣出金口部をそれぞれ配置したため、入金処理または出金処理の進行状況を顧客側でも確認可能となり、顧客に不安感を与えるのを防止する。さらに、入金紙幣一時保留部に入金紙幣を一括して一時保留し、入金紙幣の一時保留が迅速になるとともに、機体の前側域に入金紙幣一時保留部を配置し、入金非承認時に入金紙幣一時保留部の前面扉を開いて一時保留紙幣を機体の前面側から一括取出可能とするため、入金非承認時の一時保留紙幣の返却が迅速かつ容易になり、構造も簡単になる。
【００２０】
請求項２記載の循環式紙幣入出金機は、入金紙幣を出金紙幣に使用する循環式紙幣入出金機において、機体に上部ユニットおよび下部ユニットがそれぞれ機体の前面から引出可能に設けられ、前記上部ユニットには、前記機体の上面前側にその前側から順に紙幣を出金する紙幣出金口部および紙幣を入金する紙幣入金口部がそれぞれ配置され、機体の上面前側における紙幣出金口部および紙幣入金口部の設置域の左右両側域に左右いずれで処理を占有するかを指示する占有指示部がそれぞれ配置され、機体の前側域に入金紙幣を一括して一時保留する入金紙幣一時保留部が配置され、この入金紙幣一時保留部に入金紙幣を１枚ずつ繰り込むとともに入金承認時に一時保留紙幣を１枚ずつ繰り出す繰込繰出手段が配置され、入金紙幣一時保留部の前面には入金非承認時に一時保留紙幣を機体の前面側から一括取出可能とする前面扉が開閉可能に配置され、これら紙幣出金口部、紙幣入金口部および入金紙幣一時保留部を接続して紙幣を搬送する上部ユニット側紙幣搬送部が配置され、この上部ユニット側紙幣搬送部に紙幣を識別する紙幣識別部が配置され、前記下部ユニットには、前記機体の前側域にリジェクト紙幣を収納するリジェクトボックスが配置され、このリジェクトボックスの後部域に金種別に紙幣を収納する金種別紙幣収納部が前後方向に配置され、これら各金種別紙幣収納部毎に紙幣の受収および１枚ずつの繰り出しをする紙幣受収繰出部が配置され、これら紙幣受収繰出部を接続して紙幣を搬送する下部ユニット側紙幣搬送部が配置され、前記機体および下部ユニットのいずれか一方には、機体に収納した下部ユニットを閉塞状態に覆う被覆部材、前記上部ユニット側紙幣搬送部と下部ユニット側紙幣搬送部とを接続する第１の接続通路部、および上部ユニット側紙幣搬送部とリジェクトボックスとを接続する第２の接続通路部がそれぞれ配置され、前記被覆部材に第１の接続通路部用および第２の接続通路部用の第１の開口部および第２の開口部が設けられているものである。
【００２１】
そして、この構成では、機体の上面に紙幣入金口部および紙幣出金口部をそれぞれ配置したため、入金処理または出金処理の進行状況を顧客側でも確認可能となり、顧客に不安感を与えるのを防止する。さらに、入金紙幣一時保留部に入金紙幣を一括して一時保留し、入金紙幣の一時保留が迅速になるとともに、機体の前側域に入金紙幣一時保留部を配置し、入金非承認時に入金紙幣一時保留部の前面扉を開いて一時保留紙幣を機体の前面側から一括取出可能とするため、入金非承認時の一時保留紙幣の返却が迅速かつ容易になり、構造も簡単になる。しかも、被覆部材で機体に収納した下部ユニットを閉塞状態に覆うため、上部ユニットを引き出しても下部ユニットの金種別紙幣収納部から紙幣を抜き取ることはできず、金種別紙幣収納部を有する下部ユニットに金庫機能を持たせることが可能となる。
【００２２】
請求項３記載の循環式紙幣入出金機は、請求項２記載の循環式紙幣入出金機において、被覆部材は、機体に固定され、下部ユニットの引出時には下部ユニット側紙幣搬送部、各金種毎の紙幣受収繰出部および各金種別紙幣収納部を開放可能とするものである。
【００２３】
そして、この構成では、被覆部材を機体に固定したため、例えば各金種別紙幣収納部を金庫構造にするといった複雑な構造を採ることなく、下部ユニットに金庫機能を持たせることが可能となり、下部ユニットの引出時には下部ユニット側紙幣搬送部、各金種毎の紙幣受収繰出部および各金種別紙幣収納部を自動的に開放し、下部ユニット側のメンテナンスなどが容易になる。
【００２４】
請求項４記載の循環式紙幣入出金機は、請求項２または３記載の循環式紙幣入出金機において、上部ユニット側紙幣搬送部、下部ユニット側紙幣搬送部および第１の接続通路部は、紙幣の搬送方向を反転可能とするものである。
【００２５】
そして、この構成では、上部ユニット側紙幣搬送部、下部ユニット側紙幣搬送部および第１の接続通路部は、紙幣の搬送方向を反転可能とするため、搬送通路構造の簡素化、特に搬送通路構造の高さを低くし、機体の上面高さの設定の自由度が高くなる。
【００２６】
請求項５記載の循環式紙幣入出金機は、請求項１ないし４いずれか記載の循環式紙幣入出金機において、入金紙幣一時保留部は、この入金紙幣一時保留部に繰り込まれる紙幣の先端係止位置を紙幣の繰込方向幅の長短に応じて変更する複数の係止部材を有し、紙幣の後端を前記繰込方向幅の長短にかかわらず揃えて繰込繰出手段による繰出可能な一時保留位置に位置決めするものである。
【００２７】
そして、この構成では、複数の係止部材のいずれかによって、入金紙幣一時保留部に繰り込まれる紙幣の先端係止位置をその繰り込まれる紙幣の繰込方向幅の長短に応じて変更するため、例えば外国紙幣のように、金種によって繰込方向幅に長短差のあるものでも、紙幣の後端を繰込方向幅の長短にかかわらず揃えて繰込繰出手段による繰出可能な一時保留位置に確実に位置決めし、繰込繰出手段によって一時保留紙幣を確実に繰り出せる。
【００２８】
請求項６記載の循環式紙幣入出金機は、請求項１ないし５いずれか記載の循環式紙幣入出金機において、紙幣入金口部内および紙幣出金口部内の紙幣は前側上方および後側上方の両方から視認可能とするものである。
【００２９】
そして、この構成では、紙幣入金口部内および紙幣出金口部内の紙幣は前側上方および後側上方の両方から視認可能とするため、テラー側および顧客側の両方から入金処理または出金処理の進行状況を確認可能となる。
【００３０】
請求項７記載の循環式紙幣入出金機は、請求項１ないし６いずれか記載の循環式紙幣入出金機において、紙幣入金口部および紙幣出金口部は紙幣を立位姿勢で収納し、紙幣出金口部は、出金中に紙幣出金口部を閉じるとともに出金終了時に開く透明シャッタを有し、この透明シャッタを通じて紙幣出金口部内の紙幣を前側上方および後側上方の両方から視認可能とするものである。
【００３１】
そして、この構成では、紙幣入金口部および紙幣出金口部に紙幣を立位姿勢で収納するため、例えば紙幣を水平姿勢で上下方向に集積する場合に比べて、顧客側に対して紙幣の入金繰込状況および出金繰出状況がより判り易く、顧客に安心感を与える。さらに、紙幣出金口部には、出金中に紙幣出金口部を閉じるとともに出金終了時に開く透明シャッタを設け、この透明シャッタを通じて紙幣出金口部内の紙幣を前側上方および後側上方の両方から視認可能としたため、紙幣の出金繰出状況を確認可能としたうえに、紙幣入金口部と紙幣出金口部とを明確に区別可能となる。
【００３２】
【発明の実施の形態】
以下、本発明の一実施の形態を図面を参照して説明する。
【００３３】
図２において、循環式紙幣入出金機１１を示し、この循環式紙幣入出金機１１は、例えば銀行などの金融機関のカウンターに、このカウンターの内側に居る２人のテラー間に設置され、循環式紙幣入出金機１１の左右の一方または両方に居るテラーのいずれもからも使用可能としている。
【００３４】
循環式紙幣入出金機１１には左右の２人のテラーが操作する上位端末１２，１３がそれぞれ接続され、これら上位端末１２，１３のいずれか一方のみで循環式紙幣入出金機１１を使用する場合、両方で循環式紙幣入出金機１１を使用する場合の３通りの使用方法が可能である。
【００３５】
循環式紙幣入出金機１１は機体１４を有し、この機体１４は、テラーが操作する操作面側を前面１４ａとし、この前面１４ａと反対側つまりカウンターの外側の顧客側を後面１４ｂとした場合、左右方向の横幅が狭く、前後方向の奥行きが長いとともに上下方向の高さが高い縦型に構成されている。
【００３６】
機体１４には、図３および図４に示すように、上部ユニット１５および下部ユニット１６が機体１４の前面側からそれぞれ引出可能に設けられている。
【００３７】
図２に示すように、上部ユニット１５の上面前側および前面上側に操作部としての上面操作部１７および前面操作部１８がそれぞれ配置され、上面操作部１７は機体１４の上面１４ｃより上方に突出され、この上面操作部１７の後方の機体１４の上面域にカウンターが嵌合する嵌合段部１９が形成され、この嵌合段部１９から機体１４の後面１４ｂまでの幅寸法のカウンターが機体１４の上面１４ｃに嵌合配置され、上面操作部１７の上面がカウンターの上面と略同じぐらいの高さ位置に配置される。
【００３８】
上部ユニット１５の上面操作部１７には、すなわち機体１４の上面前側には、前側から順に、前方へ向けて下降傾斜する傾斜面２０および略水平な水平面２１が形成され、この水平面２１には、前側から順に、紙幣を出金する紙幣出金口部２２、および紙幣を入金する紙幣入金口部２３が形成され、これら紙幣出金口部２２および紙幣入金口部２３の設置域の左右両側域に左右いずれのテラーで入金処理または出金処理を占有するかを指示する占有指示部としての占有ボタン２４がそれぞれ配置され、紙幣出金口部２２および紙幣入金口部２３の設置域の一側すなわち左側に紙幣の詰まり箇所や紙幣の残量などを表示する表示部２５が配置されている。各占有ボタン２４は、それぞれランプを内蔵しており、操作されて占有状態となることで点灯表示する。
【００３９】
上部ユニット１５の前面操作部１８には、入金処理時に入金紙幣の一時保留後の入金非承認によって返却することになった紙幣を取り出すための開口部２６が形成され、前面扉３６で閉塞される。また、上部ユニット１５を機体１４に収納した状態で施錠解錠するテラー操作用の上部ユニット錠２７が設けられている。そして、この上部ユニット錠２７の解錠によって上部ユニット１５が機体１４から引き出せる。
【００４０】
機体１４の前面下部域には扉体２８が開閉可能に取り付けられ、この扉体２８に下部ユニット１６を機体１４に収納して扉体２８を閉じた状態で施錠解錠する金融機関の上位管理者または警備保障会社の社員しか操作できない下部ユニット錠２９が設けられており、扉体２８を解錠して開放することで下部ユニット１６を機体１４内から前方へ引き出し可能としている。なお、下部ユニット錠２９はテラーには解錠できない。
【００４１】
また、図１および図２に示すように、上部ユニット１５の紙幣出金口部２２および紙幣入金口部２３の下部には、紙幣を立位姿勢でかつ長方形の紙幣の短手方向を上下方向として収納するボックス状の紙幣出金部３２および紙幣入金部３３がそれぞれ配置されている。紙幣出金口部２２には、出金中に紙幣出金口部２２を閉じるとともに出金終了時に開く透明シャッタ３４が開閉可能に配置され、出金中においては閉じている透明シャッタ３４を透過して紙幣出金部３２に出金される紙幣を視認可能としている。
【００４２】
上部ユニット１５の前面の開口部２６の内側には、すなわち機体１４の前側域には、正規と識別された入金紙幣つまり入金正規紙幣を受収して金種混合状態で一括して一時保留する入金紙幣一時保留部３５が配置されている。この入金紙幣一時保留部３５の前面には閉鎖状態で図示しない電磁ロックによってロックされる透明な前面扉３６が開閉可能に配置され、一時保留紙幣の返却時に電磁ロックが解除され、前面扉３６に設けられている取手３７を持って開口部２６から前方へ開くことにより、開口部２６を通じて入金紙幣一時保留部３５内の入金非承認時の一時保留紙幣を一括取出可能としている。
【００４３】
上部ユニット１５内には、紙幣出金部３２、紙幣入金部３３および入金紙幣一時保留部３５に接続されて紙幣を搬送する上部ユニット側紙幣搬送部４０が配設されている。この上部ユニット側紙幣搬送部４０は、紙幣出金部３２に紙幣を搬送する出金搬送路部４１、紙幣入金部３３から繰り出される紙幣を搬送する入金搬送路部４２、出金搬送路部４１の途中に接続されて入金紙幣一時保留部３５との間で紙幣を搬送する保留搬送路部４３、後方から前方へ折り返す略Ｕ字形で上側の一端が入金搬送路部４２に接続された識別搬送路部４４、識別搬送路部４４の上側の一端と下側の他端とを接続するバイパス搬送路部４５、出金搬送路部４１と識別搬送路部４４の上側の一端（パイパス搬送通路４５の上端）との間に接続された保留出金搬送路部４６、保留出金搬送路部４６に接続されて前方へ延設されたリジェクト紙幣搬送路部４７、識別搬送路部４４の下側の他端（パイパス搬送通路４５の下端）に接続されて前方へ延設され前端がリジェクト紙幣搬送路部４７に接続された収納出金搬送路部４８を有している。少なくとも出金搬送路部４１、保留搬送路部４３、識別搬送路部４４、保留出金搬送路部４６および収納出金搬送路部４８は、紙幣の搬送方向を正逆に反転させることができる。各搬送路部４１〜４８間の接続部分には紙幣の進行方向を切り換える切換部材４９がそれぞれ配置されている。識別搬送路部４４には搬送する紙幣の正偽や金種などを識別する紙幣識別部５０が配設されている。
【００４４】
紙幣出金部３２には、出金搬送路部４１で搬送してくる紙幣を立位姿勢で紙幣出金部３２内に１枚ずつ繰り込む羽根ローラ５３、この羽根ローラ５３で繰り込まれる紙幣を立位姿勢で受け入れるとともに紙幣を受け入れる位置を一定にして紙幣の立位姿勢を保ちながら前方へ整列集積するために受け入れた紙幣量に応じて移動するトレイ５４がそれぞれ配設されている。
【００４５】
紙幣入金部３３には、入金紙幣を立位姿勢で受け入れるトレイ５７、入金処理の開始時に移動するトレイ５７で押し付けられる立位姿勢で整列集積される紙幣を１枚ずつ下方へ繰り出すキックローラ５８、このキックローラ５８で繰り出される紙幣を挟持して入金搬送路部４２へ送り込むフィードローラ５９とゲートローラ６０がそれぞれ配設されている。
【００４６】
入金紙幣一時保留部３５は、その後面上側に保留搬送路部４３が接続され、その後面上側が後方へ向けて下り傾斜されており、入金紙幣一時保留部３５における保留空間部３５ａの周囲を囲む前面扉３６である前面壁６３と後面壁６４との間で入金紙幣一時保留部３５内を昇降する集積台６５上に紙幣の紙面を上下方向に向けて集積する。
【００４７】
入金紙幣一時保留部３５には、保留搬送路部４３から入金紙幣一時保留部３５に入金紙幣を１枚ずつ繰り込むとともに入金承認時に一時保留紙幣を保留搬送路部４３へ１枚ずつ繰り出す繰込繰出手段６６が配設されている。図５および図６に示すように、この繰込繰出手段６６は、紙幣（図中には符号Ｐで示し、以下省略する）を載せて昇降する集積台６５と連動して動作するもので、保留搬送路部４３から入金紙幣一時保留部３５に紙幣を繰り込むとともに入金紙幣一時保留部３５から保留搬送路部４３へ紙幣を繰り出す軸方向に複数のフィードローラ６７およびゲートローラ６８、フィードローラ６７との間で紙幣を挟持して搬送する搬送ローラ６９、紙幣繰込時にゲートローラ６８の側部位置に移動して紙幣を１枚ずつ繰り込むとともに紙幣繰出時にゲートローラ６８の側部位置から図５の２点鎖線で示す待避位置に待避する羽根ローラ７０、入金紙幣一時保留部３５の保留空間部３５ａ外から選択的に保留空間部３５ａ内へ進出して繰り込まれる紙幣の繰込方向先端縁を係止して紙幣の繰込方向後端縁を後面壁６４に揃えて繰込繰出手段６６による繰出可能な一時保留位置に位置決めするストッパ７１ａ，７１ｂ、紙幣繰出時に集積台６５上の一時保留紙幣を１枚ずつフィードローラ６７とゲートローラ６８との間に繰り出すキックローラ７２を備えている。
【００４８】
ストッパ７１ａ，７１ｂによる紙幣の繰込方向先端縁の係止は、紙幣識別部５０での金種識別による紙幣の短手方向の札幅と保留搬送路部４３に配置された紙幣検知センサ７３の検知とに基づいて選択的に実行する。すなわち、紙幣をその札幅が短幅、中間幅、長幅のグループに分けて設定しておき、短幅紙幣が紙幣識別部５０で識別され、その短幅紙幣が紙幣検知センサ７３で検知されることにより、ストッパ７１ａが保留空間部３５ａ外から保留空間部３５ａ内へ進出し、繰り込まれてくる短幅紙幣の係止に待機することになる。このストッパ７１ａは、ストッパ支持移動機構７４ａに対し、下降限位置へばね付勢されている。そして、このストッパ７１ａの係止位置への進出時において、集積済み紙幣のうち上部域に短幅紙幣ばかりが溜まった状態の場合には、図６に示すように、集積済み紙幣の先端縁の前側にストッパ７１ａが位置し、次の短幅紙幣の係止に備える。また、集積済み紙幣の上部域に中間幅または長幅紙幣ばかりが溜まった状態の場合には、集積済み紙幣の上面にストッパ７１ａが載り、集積済み紙幣の上面を押圧して次の短幅紙幣の係止に備えることになり、この場合には、図６において、集積済み紙幣の上面に載るストッパ７１ａがばね付勢に抗して上昇した状態に位置する。このように集積済み紙幣が短幅、中間幅、長幅紙幣かに応じて、ストッパ７１ａの係止位置での状態が異なる。また、ストッパ７１ａは短幅紙幣の係止後、直ちに保留空間部３５ａ外へ退避し、次の紙幣の保留空間部３５ａへの繰り込みに待機する。
【００４９】
また、紙幣識別部５０で識別されて紙幣検知センサ７３で検知される紙幣が中間幅紙幣の場合には、ストッパ７１ｂが保留空間部３５ａ外から保留空間部３５ａ内の係止位置へ進出する。図５にはストッパ７１ｂの退避位置を示し、図６にはストッパ７１ｂの退避位置を実線で、係止位置を２点鎖線で示す。なお、ストッパ７１ｂも、ストッパ７１ａのストッパ支持移動機構７４ａと同様の構造の図示しないストッパ支持移動機構で支持されており、また、そのストッパ支持移動機構に対して下降限位置へばね付勢されている点も同様である。そのため、このストッパ７１ｂも、集積済み紙幣が短幅、中間幅、長幅紙幣かに応じて、その進出時に集積済み紙幣の繰込方向先端縁の前側に位置する状態と集積済み紙幣の上面に載る状態とに切り換わり、繰り込まれる中間幅紙幣の係止に備える。この中間幅紙幣の係止後、ストッパ７１ｂは、直ちに保留空間部３５ａ外へ退避し、次の紙幣の保留空間部３５ａへの繰り込みに待機する。
【００５０】
また、紙幣識別部５０で識別されて紙幣検知センサ７３で検知される紙幣が長幅紙幣の場合には、ストッパ７１ａ，７１ｂが両方とも退避状態のままである。そのため、保留空間部３５ａへ繰り込まれた長幅紙幣の繰込方向先端縁は前面壁６３で係止される。
【００５１】
したがって、これらストッパ７１ａ，７１ｂおよび前面壁６３によって、入金紙幣一時保留部３５に繰り込まれる紙幣の先端係止位置を紙幣の繰込方向幅の長短に応じて変更する複数の係止部材７５が構成されている。
【００５２】
また、入金紙幣一時保留部３５には、紙幣の繰込時に、集積台６５上に集積された紙幣の上面高さを検知するレベルセンサ７６が配置されている。
【００５３】
そして、入金紙幣一時保留部３５への紙幣繰込時には、紙幣識別部５０での金種識別に応じてストッパ７１ａ，７１ｂを選択的に進出可能とし、フィードローラ６７、ゲートローラ６８および羽根ローラ７０で繰り込まれる紙幣の繰込方向先端縁をストッパ７１ａ，７１ｂまたは前面壁６３で規制し、紙幣の後端を後面壁６４に添わせた一時保留位置に集積させる。レベルセンサ７６で集積台６５上に集積された一時保留紙幣の上面高さを監視し、高くなれば集積台６５を順次下降させて一時保留紙幣を受け入れて集積する上面高さを一定の範囲内に保つようにする。また、入金紙幣一時保留部３５からの紙幣繰出時には、ストッパ７１ａ，７１ｂを保留空間部３５ａ外へ退避させた状態で、集積台６５を上昇させて一時保留紙幣をキックローラ７２に押し付け、キックローラ７２およびフィードローラ６７の回転により、一時保留紙幣を１枚ずつ繰り出す。
【００５４】
また、図１に示すように、下部ユニット１６には、機体１４の前側域に、商品券などを収納する着脱ボックス８１が着脱可能に配置されているとともに、リジェクト紙幣を収納するリジェクトボックス８２が固定的に配置されている。さらに、リジェクトボックス８２の後部域には、金種別に紙幣を収納する金種別紙幣収納部８３が前後方向に並んで固定的に配置され、これら各金種別紙幣収納部８３の上部に紙幣の受収および１枚ずつの繰り出しをする紙幣受収繰出部８４が配置され、金種別紙幣収納部８３の上方域に各紙幣受収繰出部８４に接続して紙幣を搬送する下部ユニット側紙幣搬送部８５が配置されている。なお、下部ユニット１６の最後部には、必要に応じて金種別紙幣収納部８３を増設可能とする増設スペース８６が形成されている。
【００５５】
リジェクトボックス８２には、このリジェクトボックス８２の上部から紙幣を１枚ずつ繰込可能とする繰込手段８７が配置されている。
【００５６】
各金種別紙幣収納部８３には、集積台８８が昇降可能に配置され、この集積台８８上に紙幣の紙面を上下方向に向けて集積する。
【００５７】
下部ユニット側紙幣搬送部８５は、金種別紙幣収納部８３の上方域に沿って前後方向に配置された主搬送路部８９、この主搬送路部８９から各金種別紙幣収納部８３に繰り込む紙幣を搬送する繰込搬送路部９０、各金種別紙幣収納部８３から繰り出される紙幣を主搬送路部８９に搬送する繰出搬送路部９１を備え、各搬送路部８９〜９１の接続部分には紙幣の進行方向を切り換える切換部材９２がそれぞれ配置されている。下部ユニット側紙幣搬送部８５の主搬送路部８９は、紙幣の搬送方向を正逆に反転させることができる。
【００５８】
紙幣受収繰出部８４は、紙幣を載せて昇降する集積台８８と連動して動作するもので、紙幣収納時に繰込搬送路部９０からの紙幣を集積台８８上に繰り込む繰込ローラ９３，９４、紙幣繰出時に集積台８８上の紙幣を１枚ずつ繰り出すキックローラ９５、このキックローラ９５で繰り出される紙幣を繰出搬送路部９１に繰り出す繰出ローラ９６およびゲートローラ９７を備えている。そして、金種別紙幣収納部８３への紙幣繰込時には、集積台８８上に紙幣を集積収納する毎に紙幣の上面高さが高くなるため、集積台８８を順次下降させて紙幣を受け入れて集積収納する上面高さを一定の範囲内に保つようにする。また、金種別紙幣収納部８３からの紙幣繰出時には、集積台８８を上昇させて紙幣をキックローラ９５に押し付け、キックローラ９５の回転により、紙幣を１枚ずつ繰り出す。
【００５９】
また、機体１４には、上部ユニット１５と下部ユニット１６との間において、機体１４に収納した下部ユニット１６の上面を閉塞状態に覆う板状の被覆部材１００が固定されている。この被覆部材１００には前端側に第１の開口部１０１および第２の開口部１０２がそれぞれ形成され、第１の開口部１０１には上部ユニット側紙幣搬送部４０の収納出金搬送路部４８の前端側と下部ユニット側紙幣搬送部８５の前端側とを接続して紙幣を搬送する第１の接続通路部１０３が配置され、第２の開口部１０２には上部ユニット側紙幣搬送部４０のリジェクト紙幣搬送路部４７とリジェクトボックス８２とを接続して紙幣を搬送する第２の接続通路部１０４がそれぞれ配置されている。これら第１の接続通路部１０３および第２の接続通路部１０４は、機体１４側に固定された被覆部材１００の第１の開口部１０１および第２の開口部１０２を通じて、機体１４に対してそれぞれ引出可能とした上部ユニット１５および下部ユニット１６を機体１４に収納した状態で接続されて上部ユニット１５と下部ユニット１６との間で紙幣の搬送が可能となる。さらに、第１の接続通路部１０３および第２の接続通路部１０４は、紙幣の搬送方向を正逆に反転させることができる。
【００６０】
次に、本実施の形態の作用を説明する。
【００６１】
まず、入金処理について図７および図８を参照して説明する。
【００６２】
循環式紙幣入出金機１１を例えば左側のテラーが使用する場合には、左側の占有ボタン２４を操作することにより、左側のテラー側の占有モードとする。
【００６３】
金融機関のカウンターにおいて、テラーが顧客から受け取った入金紙幣を紙幣入金口部２３に投入し、左側のテラーの上位端末１２で入金開始を操作することにより、入金処理を開始する。
【００６４】
図７に示すように、紙幣入金口部２３に投入されて立位姿勢が保たれる入金紙幣は、紙幣入金口部２３から上部ユニット側紙幣搬送部４０の入金搬送路部４２に１枚ずつ繰り出され、識別搬送路部４４に搬送されて紙幣識別部５０で識別される。
【００６５】
紙幣識別部５０で正規と識別された入金紙幣は、識別搬送路部４４からバイパス搬送路部４５、保留出金搬送路部４６、出金搬送路部４１および保留搬送路部４３を通じて入金紙幣一時保留部３５の保留空間部３５ａに繰り込まれて一時保留される。
【００６６】
紙幣識別部５０で識別不能と識別された入金紙幣つまり識別不能な紙幣は、識別搬送路部４４からバイパス搬送路部４５、保留出金搬送路部４６および出金搬送路部４１を通じて紙幣出金口部２２に立位姿勢で繰り込まれ、入金紙幣の一時保留が終了した時点で透明シャッタ３４が開放されて返却される。紙幣出金口部２２から識別不能な紙幣がテラーによって取り出されたら透明シャッタ３４を閉じる。識別不能な紙幣はテラーから顧客に返却される。
【００６７】
このとき、機体１４の上面に配置されている紙幣入金口部２３内の入金紙幣はテラー側および顧客側の両方から視認できるため、紙幣入金口部２３に投入された入金紙幣が１枚ずつ取り込まれていく様子を含む入金処理の進行状況を確認でき、顧客にも安心感を与えることができる。さらに、紙幣出金口部２２についても、この紙幣出金口部２２を閉じた状態にある透明シャッタ３４を通じて紙幣出金口部２２内に送り込まれる識別不能な紙幣をテラー側および顧客側の両方から視認できるため、入金紙幣中に識別不能な紙幣が存在したことを顧客も確認できる。しかも、紙幣入金口部２３および紙幣出金口部２２に紙幣を立位姿勢で収納するため、例えば紙幣を水平姿勢で上下方向に集積する場合に比べて、顧客側に対しても紙幣の入金繰込状況および返却繰出状況がより判り易くできる。また、入金紙幣一時保留部３５の保留空間部３５ａを開閉する前面扉３６も透明でテラーが保留空間部３５ａ内を視認でき、便利である。
【００６８】
そして、紙幣入金口部２３に投入された全ての入金紙幣の一時保留までの処理が完了したら、識別結果を上位端末１２に表示し、顧客に入金承認または入金非承認を確認する。
【００６９】
テラーが上位端末１２によって入金承認指令を操作することにより、図８に示すように、入金紙幣一時保留部３５に一時保留された一時保留紙幣の収納動作を開始する。入金紙幣一時保留部３５の一時保留紙幣つまり収納紙幣は、入金紙幣一時保留部３５から保留搬送路部４３に１枚ずつ繰り出され、出金搬送路部４１および保留出金搬送路部４６を通じて識別搬送路部４４に搬送されて紙幣識別部５０で識別される。
【００７０】
紙幣識別部５０で正規と識別された収納紙幣は、収納出金搬送路部４８から第１の接続通路部１０３を通じて下部ユニット側紙幣搬送部８５の主搬送路部８９に搬送され、この主搬送路部８９から対応する金種の繰込搬送路部９０を通じて対応する金種別紙幣収納部８３に繰り込まれて集積収納される。
【００７１】
また、テラーが上位端末１２によって入金非承認指令の操作をすることにより、入金紙幣一時保留部３５の前面扉３６をロックしていた電磁ロックが解除される。テラーは、前面扉３６の取手３７を持って機体１４の開口部２６から前方へ開き、開口部２６を通じて入金紙幣一時保留部３５内の一時保留紙幣を一括して取り出し、顧客に返却し、前面扉３６を閉じる。
【００７２】
次に、出金処理について図９を参照して説明する。
【００７３】
循環式紙幣入出金機１１を例えば左側のテラーが使用する場合には、左側の占有ボタン２４を操作することにより、左側のテラー側の占有モードとなる。
【００７４】
金融機関のカウンターにおいて、顧客からの出金の要求に応じた金種および枚数を含む金額など出金情報を左側のテラーの上位端末１２で入力し、出金開始を操作することにより、出金処理を開始する。
【００７５】
１種類の紙幣を出金する場合には、該当する金種の金種別紙幣収納部８３のみから１枚ずつ紙幣を順に繰り出し、また、複数金種の紙幣を出金する場合には、ある１つの金種の金種別紙幣収納部８３から１枚ずつ紙幣を順に繰り出し、その繰り出しが完了したら次の金種の金種別紙幣収納部８３から１枚ずつ紙幣を順に繰り出すというように、予め設定された金種順に紙幣を１枚ずつ繰り出す。
【００７６】
金種別紙幣収納部８３から繰り出される紙幣は、繰出搬送路部９１および主搬送路部８９から第１の接続通路部１０３を通じて上部ユニット側紙幣搬送部４０の収納出金搬送路部４８および識別搬送路部４４に搬送されて紙幣識別部５０で識別される。
【００７７】
紙幣識別部５０で正規と識別された紙幣は、識別搬送路部４４から保留出金搬送路部４６および出金搬送路部４１を通じて紙幣出金口部２２に繰り込まれて立位姿勢で集積される。
【００７８】
紙幣識別部５０で識別不能と判断された紙幣は、識別搬送路部４４から保留出金搬送路部４６、リジェクト紙幣搬送路部４７から第２の接続通路部１０４を通じて下部ユニット１６のリジェクトボックス８２に繰り込まれて収納される。
【００７９】
このとき、機体１４の上面に紙幣出金口部２２が配置されていて、紙幣出金口部２２を閉じた状態にある透明シャッタ３４を通じて紙幣出金口部２２内に送り込まれる出金紙幣をテラー側および顧客側の両方から視認できるため、紙幣出金口部２２に出金紙幣が１枚ずつ繰り込まれていく様子を含む出金処理の進行状況を確認でき、顧客にも安心感を与えることができる。しかも、紙幣出金口部２２に紙幣を立位姿勢で収納するため、例えば紙幣を水平姿勢で上下方向に集積する場合に比べて、顧客側に対しても出金紙幣の出金繰出状況がより判り易くできる。
【００８０】
出金額に対応した出金紙幣が紙幣出金口部２２に繰り込まれて集積されたら、透明シャッタ３４が開放される。テラーによって紙幣出金口部２２から出金紙幣が取り出されたら透明シャッタ３４を閉じる。出金紙幣はテラーから顧客に受け渡される。
【００８１】
次に、補充処理について説明する。
【００８２】
この補充処理での補充紙幣の流れは、上述した入金処理での入金紙幣の流れと同様であり、図７および図８を参照して説明する。この場合も左側のテラーが上位端末１２を利用して処理するものとする。
【００８３】
補充紙幣を紙幣入金口部２３に投入し、左側のテラーの上位端末１２で補充開始を入力操作することにより、補充処理を開始する。
【００８４】
紙幣入金口部２３に投入されて立位姿勢が保持される補充紙幣は、紙幣入金口部２３から上部ユニット側紙幣搬送部４０の入金搬送路部４２に１枚ずつ繰り出され、識別搬送路部４４に搬送されて紙幣識別部５０で識別される。
【００８５】
紙幣識別部５０で正規と識別された補充紙幣は、識別搬送路部４４からバイパス搬送路部４５、保留出金搬送路部４６、出金搬送路部４１および保留搬送路部４３を通じて入金紙幣一時保留部３５に繰り込まれて一時保留される。
【００８６】
紙幣識別部５０で識別不能な紙幣は、識別搬送路部４４からバイパス搬送路部４５、保留出金搬送路部４６および出金搬送路部４１を通じて紙幣出金口部２２に繰り込まれ、補充紙幣の一時保留終了時に透明シャッタ３４が開放されて返却される。紙幣出金口部２２から識別不能な紙幣がテラーによって取り出されたら透明シャッタ３４を閉じる。
【００８７】
そして、紙幣入金口部２３に投入された全ての補充紙幣の一時保留までの処理が完了したら、識別結果を上位端末１２に表示し、収納承認または収納非承認を確認する。なお、ここでは承認をとる例を示すが、紙幣入金口部２３に投入された全ての補充紙幣の一時保留までの処理が完了したら承認をとらずに次の処理に自動的に移行してもよい。
【００８８】
テラーが上位端末１２によって収納承認指令を操作することにより、入金紙幣一時保留部３５に一時保留された補充紙幣の収納動作を開始する。入金紙幣一時保留部３５の補充紙幣は、入金紙幣一時保留部３５から保留搬送路部４３に１枚ずつ繰り出され、出金搬送路部４１および保留出金搬送路部４６を通じて識別搬送路部４４に搬送されて紙幣識別部５０で識別される。
【００８９】
紙幣識別部５０で正規と識別された補充紙幣は、収納出金搬送路部４８から第１の接続通路部１０３を通じて下部ユニット側紙幣搬送部８５の主搬送路部８９に搬送され、この主搬送路部８９から対応する金種の繰込搬送路部９０を通じて対応する金種別紙幣収納部８３に繰り込まれて集積収納される。
【００９０】
紙幣識別部５０で識別不能な紙幣は、収納出金搬送路部４８から第２の接続通路部１０４を通じて下部ユニット１６のリジェクトボックス８２に繰り込まれて収納される。
【００９１】
また、テラーが上位端末１２によって収納非承認指令を操作することにより、入金紙幣一時保留部３５の前面扉３６をロックしていた電磁ロックが解除される。テラーは、前面扉３６の取手３７を持って機体１４の開口部２６から前方へ開き、開口部２６を通じて入金紙幣一時保留部３５内の補充紙幣を一括して取り出し、前面扉３６を閉じる。
【００９２】
次に、回収処理について説明する。
【００９３】
この回収処理での回収紙幣の流れは、上述した出金処理での出金紙幣の流れと同様であり、図９を参照して説明する。この場合も左側のテラーが上位端末１２を利用して処理するものとする。
【００９４】
上位端末１２で回収処理を指令することにより、ある１つの金種の金種別紙幣収納部８３から１枚ずつ紙幣を順に繰り出し、その繰り出し完了したら次の金種の金種別紙幣収納部８３から１枚ずつ紙幣を順に繰り出すといように、予め設定された金種順に紙幣を１枚ずつ繰り出す。
【００９５】
金種別紙幣収納部８３から繰り出される紙幣は、繰出搬送路部９１および主搬送路部８９から第１の接続通路部１０３を通じて上部ユニット側紙幣搬送部４０の収納出金搬送路部４８および識別搬送路部４４に搬送されて紙幣識別部５０で識別される。
【００９６】
紙幣識別部５０で正規と識別された紙幣は、識別搬送路部４４から保留出金搬送路部４６および出金搬送路部４１を通じて紙幣出金口部２２に繰り込まれて立位姿勢で集積される。
【００９７】
金種別紙幣収納部８３から紙幣出金口部２２に集積可能とする所定枚数の紙幣が繰り出されたらその繰り出しを一時停止し、搬送経路上にある回収紙幣が紙幣出金口部２２に繰り込まれて集積された後に、透明シャッタ３４が開放される。テラーによって紙幣出金口部２２から回収紙幣が取り出されたら透明シャッタ３４が閉鎖され、金種別紙幣収納部８３からの回収紙幣の回収処理を再開する。
【００９８】
紙幣識別部５０で識別不能な紙幣は、識別搬送路部４４から保留出金搬送路部４６、リジェクト紙幣搬送路部４７から第２の接続通路部１０４を通じて下部ユニット１６のリジェクトボックス８２に繰り込まれて収納される。
【００９９】
このように、循環式紙幣入出金機１１によれば、機体１４の上面に紙幣入金口部２３および紙幣出金口部２２をそれぞれ配置したため、入金処理または出金処理の進行状況を顧客側でも確認可能となり、顧客に不安感を与えないようにでき、さらに、入金紙幣一時保留部３５に入金紙幣を一括して一時保留し、入金紙幣の一時保留を迅速にできるとともに、機体１４の前側域に入金紙幣一時保留部３５を配置し、入金非承認時に入金紙幣一時保留部３５の前面扉３６を開いて一時保留紙幣を機体１４の前面側から一括取出可能とするため、入金非承認時の一時保留紙幣の返却を迅速かつ容易にでき、構造も簡単にできる。
【０１００】
さらに、紙幣入金口部２３および紙幣出金口部２２に紙幣を立位姿勢で収納するため、例えば紙幣を水平姿勢で上下方向に集積する場合に比べて、顧客側に対して紙幣の入金繰り込み、および出金繰出状況がより判り易く、顧客に安心感を与えることができる。
【０１０１】
さらに、紙幣出金口部２２には、出金中に紙幣出金口部２２を閉じるとともに出金終了時に開く透明シャッタ３４を設け、この透明シャッタ３４を通じて紙幣出金口部２２内の紙幣を前側上方および後側上方の両方から視認可能としたため、紙幣の出金繰出状況を確認できるうえに、紙幣入金口部２３と紙幣出金口部２２とを明確に区別できる。
【０１０２】
また、被覆部材１００で機体１４に収納した下部ユニット１６を閉塞状態に覆うため、上部ユニット１５を引き出しても下部ユニット１６の金種別紙幣収納部８３から紙幣を抜き取ることはできず、金種別紙幣収納部８３を有する下部ユニット１６に金庫機能を持たせることができる。その結果、上部ユニット１５はテラーが機体１４から引き出せるのに対し、下部ユニット１６の機体１４からの引き出しはテラーにはできず、金融機関の上位管理者か警備保障会社の社員しかできないようにされる。
【０１０３】
さらに、被覆部材１００を機体１４に固定したため、例えば各金種別紙幣収納部８３を金庫構造にするといった複雑な構造を採ることなく、下部ユニット１６に金庫機能を持たせることができ、下部ユニット１６の引出時には下部ユニット側紙幣搬送部８５、各金種毎の紙幣受収繰出部８４および各金種別紙幣収納部８３を自動的に開放でき、下部ユニット１６側のメンテナンスなどを容易にできる。
【０１０４】
また、上部ユニット側紙幣搬送部４０、下部ユニット側紙幣搬送部８５、第１の接続通路部１０３および第２の接続通路部１０４は、紙幣の搬送方向を反転可能とするため、搬送通路構造の簡素化、特に搬送通路構造の高さを低くし、機体１４の上面高さの設定の自由度を高くできる。
【０１０５】
また、入金紙幣一時保留部３５に繰り込まれる紙幣の繰込方向先端縁を、繰り込み紙幣の幅の長短に応じてストッパ７１ａ，７１ｂ、前面壁６３のいずれかで係止し、紙幣の繰込方向後端縁を揃えて繰込繰出手段６６による繰出可能な一時保留位置に位置決めし、これらストッパ７１ａ，７１ｂ、前面壁６３のいずれかによる紙幣の先端の係止位置を紙幣識別部５０での金種識別に基づく札幅に応じて変更調整するため、例えば外国紙幣のように、金種によって搬送方向の幅に大小差のあるものでも紙幣の後端を揃えて繰込繰出手段６６による繰出可能な一時保留位置に確実に位置決めでき、繰込繰出手段６６によって一時保留紙幣を確実に繰り出すことができる。
【０１０６】
なお、被覆部材１００は、機体１４に限らず、下部ユニット１６に設けても下部ユニット１６の金庫機能を得ることができる。被覆部材１００を下部ユニット１６に設けた場合には、下部ユニット１６を機体１４から引き出した状態で被覆部材１００を開閉または着脱するように構成する。
【０１０７】
【発明の効果】
請求項１記載の循環式紙幣入出金機によれば、機体の上面に紙幣入金口部および紙幣出金口部をそれぞれ配置したため、入金処理または出金処理の進行状況を顧客側でも確認可能となり、顧客に不安感を与えないようにでき、さらに、入金紙幣一時保留部に入金紙幣を一括して一時保留し、入金紙幣の一時保留を迅速にできるとともに、機体の前側域に入金紙幣一時保留部を配置し、入金非承認時に入金紙幣一時保留部の前面扉を開いて一時保留紙幣を機体の前面側から一括取出可能とするため、入金非承認時の一時保留紙幣の返却を迅速かつ容易にでき、構造も簡単にできる。
【０１０８】
請求項２記載の循環式紙幣入出金機によれば、機体の上面に紙幣入金口部および紙幣出金口部をそれぞれ配置したため、入金処理または出金処理の進行状況を顧客側でも確認可能となり、顧客に不安感を与えないようにでき、さらに、入金紙幣一時保留部に入金紙幣を一括して一時保留し、入金紙幣の一時保留を迅速にできるとともに、機体の前側域に入金紙幣一時保留部を配置し、入金非承認時に入金紙幣一時保留部の前面扉を開いて一時保留紙幣を機体の前面側から一括取出可能とするため、入金非承認時の一時保留紙幣の返却を迅速かつ容易にでき、構造も簡単にできる。しかも、被覆部材で機体に収納した下部ユニットを閉塞状態に覆うため、上部ユニットを引き出しても下部ユニットの金種別紙幣収納部から紙幣を抜き取ることはできず、金種別紙幣収納部を有する下部ユニットに金庫機能を持たせることができる。
【０１０９】
請求項３記載の循環式紙幣入出金機によれば、請求項２記載の循環式紙幣入出金機の効果に加えて、被覆部材を機体に固定したため、例えば各金種別紙幣収納部を金庫構造にするといった複雑な構造を採ることなく、下部ユニットに金庫機能を持たせることができ、下部ユニットの引出時には下部ユニット側紙幣搬送部、各金種毎の紙幣受収繰出部および各金種別紙幣収納部を自動的に開放でき、下部ユニット側のメンテナンスなどを容易にできる。
【０１１０】
請求項４記載の循環式紙幣入出金機によれば、請求項２または３記載の循環式紙幣入出金機の効果に加えて、上部ユニット側紙幣搬送部、下部ユニット側紙幣搬送部および第１の接続通路部は、紙幣の搬送方向を反転可能とするため、搬送通路構造の簡素化、特に搬送通路構造の高さを低くし、機体の上面高さの設定の自由度を高くできる。
【０１１１】
請求項５記載の循環式紙幣入出金機によれば、請求項１ないし４いずれか記載の循環式紙幣入出金機の効果に加えて、複数の係止部材のいずれかによって、入金紙幣一時保留部に繰り込まれる紙幣の先端係止位置をその繰り込まれる紙幣の繰込方向幅の長短に応じて変更するため、例えば外国紙幣のように、金種によって繰込方向幅に長短差のあるものでも、紙幣の後端を繰込方向幅の長短にかかわらず揃えて繰込繰出手段による繰出可能な一時保留位置に確実に位置決めでき、繰込繰出手段によって一時保留紙幣を確実に繰り出すことができる。
【０１１２】
請求項６記載の循環式紙幣入出金機によれば、請求項１ないし５いずれか記載の循環式紙幣入出金機の効果に加えて、紙幣入金口部内および紙幣出金口部内の紙幣は前側上方および後側上方の両方から視認可能とするため、テラー側および顧客側の両方から入金処理または出金処理の進行状況を確認できる。
【０１１３】
請求項７記載の循環式紙幣入出金機によれば、請求項１ないし６いずれか記載の循環式紙幣入出金機の効果に加えて、紙幣入金口部および紙幣出金口部に紙幣を立位姿勢で収納するため、例えば紙幣を水平姿勢で上下方向に集積する場合に比べて、顧客側に対して紙幣の入金繰込状況および出金繰出状況がより判り易く、顧客に安心感を与えることができる。さらに、紙幣出金口部には、出金中に紙幣出金口部を閉じるとともに出金終了時に開く透明シャッタを設け、この透明シャッタを通じて紙幣出金口部内の紙幣を前側上方および後側上方の両方から視認可能としたため、紙幣の出金繰出状況を確認できるうえに、紙幣入金口部と紙幣出金口部とを明確に区別できる。
【図面の簡単な説明】
【図１】本発明の一実施の形態を示す循環式紙幣入出金機の概略側面図である。
【図２】同上循環式紙幣入出金機の構成図である。
【図３】同上循環式紙幣入出金機の上部ユニットの引出状態の側面図である。
【図４】同上循環式紙幣入出金機の下部ユニットの引出状態の側面図である。
【図５】同上循環式紙幣入出金機の入金紙幣一時保留部の一部の側面図である。
【図６】同上循環式紙幣入出金機の入金紙幣一時保留部の一部の拡大側面図である。
【図７】同上循環式紙幣入出金機の入金処理時の一時保留までの入金紙幣の流れを示す説明図である。
【図８】同上循環式紙幣入出金機の入金処理時の一時保留後の入金承認による一時保留紙幣の流れを示す説明図である。
【図９】同上循環式紙幣入出金機の出金処理時の出金紙幣の流れを示す説明図である。
【符号の説明】
１１　　循環式紙幣入出金機
１４　　機体
１５　　上部ユニット
１６　　下部ユニット
２２　　紙幣出金口部
２３　　紙幣入金口部
２４　　占有指示部としての占有ボタン
３４　　透明シャッタ
３５　　入金紙幣一時保留部
３６　　前面扉
４０　　上部ユニット側紙幣搬送部
５０　　紙幣識別部
６６　　繰込繰出手段
７５　　係止部材
８２　　リジェクトボックス
８３　　金種別紙幣収納部
８４　　紙幣受収繰出部
８５　　下部ユニット側紙幣搬送部
１００　　被覆部材
１０１　　第１の開口部
１０２　　第２の開口部
１０３　　第１の接続通路部
１０４　　第２の接続通路部
【図１】
2004145600.tif 000003
【図２】
2004145600.tif 000004
【図３】
2004145600.tif 000005
【図４】
2004145600.tif 000006
【図５】
2004145600.tif 000007
【図６】
2004145600.tif 000008
【図７】
2004145600.tif 000009
【図８】
2004145600.tif 000010
【図９】
2004145600.tif 000011